(57)【要約】【課題】  空気調和機に装備される排水ポンプにおいて、モータ停止時の戻り水がモータ側へ飛散することを防止する。【解決手段】  排水ポンプ１ａは、ポンプ室１６と入口部１２と出口部１４を有するポンプ本体１０と、蓋部材１３０を備える。蓋部材のボス部１３２は開口部１３４を有し、ポンプ室１６内の回転羽根５０の軸部５２が突出する。モータケーシング１４０内のモータ６０の出力軸６４は軸部５２に圧入される。モータ６０停止時には、排水ホース１８内の水がポンプ室１６に逆流し、開口部１３４から噴出する。モータケーシング１４０の出力軸６４の開口部１４２の外周壁部１４４はテーパー状に形成され、噴出水がモータ側へ浸入するのを防止する。【選択図】        図１
2006112335.tif 000002
【特許請求の範囲】
【請求項１】
空気調和機に装備される排水ポンプであって、ポンプ室と、ポンプ室から下方に延びる入口部とポンプ室から水平方向に延びる出口部を有するポンプ本体と、ポンプ本体の開口部を覆う蓋部材と、ポンプ室に配置される回転羽根と、蓋部材に立設されるモータケーシングと、モータケーシング内に配設される電動モータと、回転羽根の軸部材に圧入されるモータの出力軸を備え、
蓋部材は回転羽根の軸部材が貫通する開口部を有し、モータケーシングのモータ出力軸が貫通する開口部の外周壁部の形状は、回転羽根に向かう先細りのテーパー部に形成される排水ポンプ。
【請求項２】
空気調和機に装備される排水ポンプであって、ポンプ室と、ポンプ室から下方に延びる入口部とポンプ室から水平方向に延びる出口部を有するポンプ本体と、ポンプ本体の開口部を覆う蓋部材と、ポンプ室に配置される回転羽根と、蓋部材に立設されるモータケーシングと、モータケーシング内に配設される電動モータと、回転羽根の軸部材に圧入されるモータの出力軸を備え、
蓋部材は回転羽根の軸部材が貫通する開口部を有し、モータケーシングのモータ出力軸が貫通する開口部の外周壁部の形状は、回転羽根に向かう円弧部と、円弧部に連続する先細りのテーパー部に形成される排水ポンプ。
【請求項３】
空気調和機に装備される排水ポンプであって、ポンプ室と、ポンプ室から下方に延びる入口部とポンプ室から水平方向に延びる出口部を有するポンプ本体と、ポンプ本体の開口部を覆う蓋部材と、ポンプ室に配置される回転羽根と、蓋部材に立設されるモータケーシングと、モータケーシング内に配設される電動モータと、回転羽根の軸部材に圧入されるモータの出力軸を備え、
蓋部材は回転羽根の軸部材が貫通する開口部を有し、モータケーシングのモータ出力軸が貫通する開口部の外周壁部の形状は、回転羽根に向かう円弧部と、円弧部に連続する小径の円筒部に形成される排水ポンプ。
【請求項４】
空気調和機に装備される排水ポンプであって、ポンプ室と、ポンプ室から下方に延びる入口部とポンプ室から水平方向に延びる出口部を有するポンプ本体と、ポンプ本体の開口部を覆う蓋部材と、ポンプ室に配置される回転羽根と、蓋部材に立設されるモータケーシングと、モータケーシング内に配設される電動モータと、回転羽根の軸部材に圧入されるモータの出力軸を備え、
蓋部材は回転羽根の軸部材が貫通するモータ出力軸に向かう先細りのテーパー穴とテーパー穴に連続する円筒穴に形成され、
モータケーシングのモータ出力軸が貫通する開口部の外周壁部の形状は、回転羽根に向かう円弧部と、円弧部に連続する小径の円筒部に形成される排水ポンプ。
【請求項５】
空気調和機に装備される排水ポンプであって、ポンプ室と、ポンプ室から下方に延びる入口部とポンプ室から水平方向に延びる出口部を有するポンプ本体と、ポンプ本体の開口部を覆う蓋部材と、ポンプ室に配置される回転羽根と、蓋部材に立設されるモータケーシングと、モータケーシング内に配設される電動モータと、回転羽根の軸部材に圧入されるモータの出力軸を備え、
蓋部材は回転羽根の軸部材が貫通する開口部を有し、モータケーシングのモータ出力軸が貫通する開口部の外周壁部の形状は、回転羽根に向かう凹状の円弧部に形成される排水ポンプ。
【請求項６】
空気調和機に装備される排水ポンプであって、ポンプ室と、ポンプ室から下方に延びる入口部とポンプ室から水平方向に延びる出口部を有するポンプ本体と、ポンプ本体の開口部を覆う蓋部材と、ポンプ室に配置される回転羽根と、蓋部材に立設されるモータケーシングと、モータケーシング内に配設される電動モータと、回転羽根の軸部材に圧入されるモータの出力軸を備え、
蓋部材は回転羽根の軸部材が貫通する開口部を有し、モータケーシングのモータ出力軸が貫通する開口部の内径寸法をｂとし、
回転羽根の軸部材の外径寸法をａとしたときに、
ｂ≦ａ
の関係を有し、かつ開口部の内径部とモータ出力軸の間の片側の間隙寸法が０．２〜２．５ｍｍの範囲に規制される請求項１乃至５のいずれかに記載の排水ポンプ。
【発明の詳細な説明】
【技術分野】
【０００１】
本発明は、室の天井等に装備される空気調和機の室内機等に装備されて結露水等を排出するための排水ポンプに関する。
【背景技術】
【０００２】
図８は、排水ポンプの構造を示す説明図である。
全体を符号１で示す排水ポンプは、ポンプ本体１０を有する。ポンプ本体１０は下方に延びて排水を受けるドレンパンに対向する入口部１２と、本体から水平方向に延びる出口部１４を有し，両者の間にポンプ室１６が形成される。出口部１４は、排水ホース１８に連結される。
【０００３】
本体１０は、樹脂でつくられ、蓋部材３０が嵌合される。本体１０と蓋部材３０の間には、シール部材３８が設けられる。
蓋部材３０に設けられる脚部４２と一体のモータケーシング４０内には電動モータ６０を有する。電動モータ６０はコード６２を介して給電される。
モータ６０の出力軸６４はベアリング６６で支持され、その先端は、回転羽根５０の軸部５２に形成される有底穴に圧入される。
【０００４】
回転羽根５０は、蓋部材３０の中央ボス部３２の内側の開口部３４から突出する軸部５２と、軸部５２に連続する大径羽根５４を有する。大径羽根５４の外周部はリング部材５８で覆われ、ポンプ室１６内で回転する。大径羽根５４の下部はテーパー部５５を介して小径羽根５６に連結される。小径羽根５６は、ポンプ本体１０の入口部１２内で回転する。
【０００５】
電動モータ６０が起動されると、ドレンパン内の水Ｗ１は、小径羽根５６により、かき上げられ、大径羽根５４により遠心力を与えられてホース１８を介して外部へ排水される。
モータ６０が停止すると、ホース１８内に残った水Ｗ２は、出口部１４からポンプ室１６内に逆流する。
【０００６】
ポンプ本体の入口部１２は、ドレンパン内の水で水封されているので、ポンプ室１６内に逆流した水Ｗ２は、蓋部材３０の開口部３４と回転羽根５０の軸部５２の間隙からモータ６０側へ向けて噴出する。
【０００７】
これらの噴出した水Ｗ２がモータ６０の軸受６６側へ飛散することを防止するために、モータの出力軸６４に円盤状の水切板７０がとりつけてある。
なお、回転羽根５０の軸部５２と蓋部材３０の開口部との間隙は、この種の排水ポンプ構造上不可欠の構造である。
この種の排水ポンプは、下記の特許文献１に開示されている。
また、特許文献２は水切板を省略した排水ポンプを開示する。
【特許文献１】特開２０００−２１３７７０号公報
【特許文献２】特開２００２−２４２８７３号公報
【発明の開示】
【発明が解決しようとする課題】
【０００８】
本発明の目的は、開口部が閉塞する不具合を解消し、部品点数を削減する排水ポンプを提供するものである。
【課題を解決するための手段】
【０００９】
本発明の空気調和機に装備される排水ポンプは、基本的手段として、ポンプ室と、ポンプ室から下方に延びる入口部とポンプ室から水平方向に延びる出口部を有するポンプ本体と、ポンプ本体の開口部を覆う蓋部材と、ポンプ室に配置される回転羽根と、蓋部材に立設されるモータケーシングと、モータケーシング内に配設される電動モータと、回転羽根の軸部材に圧入されるモータの出力軸を備える。
【００１０】
そして、蓋部材は回転羽根の軸部材が貫通する開口部を有し、モータケーシングのモータ出力軸が貫通する開口部の外周壁部の形状は、回転羽根に向かう先細りのテーパー部に形成される。
【００１１】
また、蓋部材は回転羽根の軸部材が貫通する開口部を有し、モータケーシングのモータ出力軸が貫通する開口部の外周壁部の形状は、回転羽根に向かう円弧部と、円弧部に連続する先細りのテーパー部に形成されることもできる。
【００１２】
さらに、蓋部材は回転羽根の軸部材が貫通する開口部を有し、モータケーシングのモータ出力軸が貫通する開口部の外周壁部の形状は、回転羽根に向かう円弧部と、円弧部に連続する小径の円筒部に形成され、蓋部材は回転羽根の軸部材が貫通するモータ出力軸に向かう先細りのテーパー穴とテーパー穴に連続する円筒穴に形成されることもできる。
【発明の効果】
【００１３】
本発明の排水ポンプは、以上の手段を備えることにより、水切板を省略することができる。また、モータ側への水の飛散も防止され、不具合の発生を防止することができる。
【発明を実施するための最良の形態】
【００１４】
図１は、本発明の第１の実施例を示す説明図、図２は、要部の説明図である。
本実施例に係る排水ポンプ１ａは、基本的な構造は、図８で説明したものと同様であるので、主要な部材に同一の符号を付して説明を省略する。
本実施例の排水ポンプ１ａにあっては、前述した排水ポンプと同様に、蓋部材１３０のボス部１３２の開口部１３４と回転羽根５０の軸部５２との間には、間隙が形成される。電動モータ６０の出力軸６４は、回転羽根の軸部５２に圧入されるが、この実施例にあっては、円盤状の水切板は装備しない。モータのケーシング１４０のケーシング１４０のモータの出力軸６４が貫通する開口部１４２の外周壁部の形状は、回転羽根５０に向けて先細りのテーパー部１４４に形成される。
電動モータ６０が駆動され、回転羽根５０により揚水が開始されると、入口部１２内の水は小径羽根５６によりかき上げられ、大径羽根５４により遠心力を与えられる。この時、ポンプ室１６内で旋回する水流は、蓋部材３０の開口部１３４から大気が導入されるので、中心部に自由表面が形成された断面が略放物線状の水流となり、出口部１４から排水される。
【００１５】
排水ポンプが停止したときに発生する排水ホース側からの戻り水Ｗ２は、開口部１３４から噴射され、モータケーシング１４０側へ飛散するが、ケーシング１４０のテーパー部１４４側に衝突して外方へ飛散する。この作用によって、モータ出力軸６４の外側の開口部１４２には浸入しない。したがって、ベアリング６６への浸入も防止される。
【００１６】
図３は、本発明の他の実施例を示す説明図である。
本実施例の排水ポンプ１ｂにあっては、図１の実施例と同様の蓋部材２３０を備える。
モータケーシング２４０のモータ出力軸６４の開口部２４２の外周壁部の形状は、円弧部２４４と円弧部２４４に連続する先細りのテーパー部２４６に形成される。
この形状により、蓋部材２３０の開口部２３４から噴出する戻り水等は、モータ出力軸６４側へは飛散しない。
【００１７】
図４は、本発明の更に他の実施例を示す説明図である。
本実施例の排水ポンプ１ｃにあっては、図３実施例と同様の蓋部材３３０を備える。
モータケーシング３４０の出力軸６４の開口部３４２の外周壁部の形状は、円弧部３４４と、円弧部３４４に連続する小径の円筒部３４６に形成される。
この形状により、蓋部材３３０の開口部３３４から噴出する戻り水等は、モータ出力軸６４側へは飛散しない。
【００１８】
図５は、本発明の更に他の実施例を示す説明図である。
本実施例の排水ポンプ１ｄにあっては、図４の実施例と同様のモータケーシング４４０を備える。すなわち、モータケーシング４４０のモータ出力軸６４の開口部４４２の外周壁部の形状は、円弧部４４４と、円弧部４４４に連続する小径の円筒部４４６に形成される。
一方、蓋部材４３０のボス部４３２の内径部は、モータケーシング側に開口する小径の円筒穴４３４と、円筒穴４３４に連続するテーパー穴４３６に形成される。
この形状により、蓋部材４３０の開口部４３４から噴出する戻り水等は、モータ出力軸６４側へは飛散しない。
【００１９】
図６は、本発明の更に他の実施例を示す説明図である。
本実施例の排水ポンプ１ｅにあっては、図４の実施例と同様のモータケーシング５４０を備える。すなわち、モータケーシング５４０のモータ出力軸６４の開口部５４２の外周壁部の形状は、凹状の円弧部に形成される。
一方、蓋部材５３０のボス部５３２の内径部は、円筒穴５３６に形成される。
この形状により、蓋部材５３０の開口部５３６から噴出する戻り水等は、モータ出力軸６４側へは飛散しない。
【００２０】
図７は、本発明の更に他の実施例を示す説明図である。
本実施例の排水ポンプ１ｆにあっては、モータケーシング６４０のモータ出力軸６４の開口部６４４の内径部６４２の径寸法をｂとし、蓋部材６３０のボス部６３２から突出する回転羽根の軸部材５２の外径寸法をａとしたときに、
ｂ≦ａ
の関係に規制するものである。
また、開口部６４４の内径部６４２とモータ出力軸の間の間隙寸法をｃとすると、ｃを０．２〜２．５ｍｍの間に規制するものである。
なお、以上に述べた寸法上の規制は、先に述べた全ての実施例に適用することができる。
【図面の簡単な説明】
【００２１】
【図１】本発明の排水ポンプの実施例を示す説明図。
【図２】本発明の排水ポンプの実施例を示す要部の拡大図。
【図３】本発明の排水ポンプの他の実施例を示す説明図。
【図４】本発明の排水ポンプの更に他の実施例を示す説明図。
【図５】本発明の排水ポンプの更に他の実施例を示す説明図。
【図６】本発明の排水ポンプの更に他の実施例を示す説明図。
【図７】本発明の排水ポンプの更に他の実施例を示す説明図。
【図８】従来の排水ポンプの説明図。
【符号の説明】
【００２２】
１  排水ポンプ
１０  ポンプ本体
１２  入口部
１４  出口部
１６  ポンプ室
１８  排水ホース
５０  回転羽根
５２  軸部
６０  電動モータ
１３０  蓋部材
１３２  ボス部
１３４  開口部
１４０  モータケーシング
１４２  モータ出力軸開口部
１４４  開口部の外周壁部
【図１】
2006112335.tif 000003
【図２】
2006112335.tif 000004
【図３】
2006112335.tif 000005
【図４】
2006112335.tif 000006
【図５】
2006112335.tif 000007
【図６】
2006112335.tif 000008
【図７】
2006112335.tif 000009
【図８】
2006112335.tif 000010